(57)【特許請求の範囲】
【請求項１】
防火水槽マンホール（１）の内壁（１０）へ上下方向に沿って相対するように設置された少なくとも一対の垂直ガイドレール（２，２）と、
前記垂直ガイドレール（２，２）へ所定の下限レベルから防火水槽マンホール（１）の上端部までを昇降するように設置された昇降ベース（３）とを備え、
前記昇降ベース（３）へ消防ポンプ（４）を搭載した状態で当該消防ポンプ（４）を前記マンホール（１）内へ収容し、
前記昇降ベース（３）は、少なくとも一対の定張力渦巻きバネ（５，５）により上昇方向へ付勢されているとともに、少なくとも一対の水平ガイドレール（３０，３０）を上方へ臨むように有し、
前記各定張力渦巻きバネ（５，５）の張力の総和と、前記昇降ベース（３）が受ける全荷重と当該昇降ベース（３）自体の重量との総和とがほぼ等しく、
前記消防ポンプ（４）は、当該消防ポンプ（４）の下部に取り付けられた台車（４０）を介して前記水平ガイドレール（３０，３０）へ搭載されており、
前記一対の水平ガイドレール（３０，３０）の一端側には互いに相対しない側部へ張出状に受け部材（３１，３１）が取り付けられ、
前記台車（４０）の一端側は、当該台車（４０）に取り付けられた脚（４１）を介して前記各受け部材（３１，３１）へ載置され、
前記台車（４０）の他端側は、当該台車（４０）に取り付けられた一対の車輪（４２）を介して前記水平ガイドレール（３０，３０）の他端部へそれぞれ浮上が防止された状態で載置され、
前記台車（４０）は、ロック金具（６）により前記水平ガイドレール（３０，３０）上における移動及び浮上が抑制されていることを特徴とする、
防火水槽マンホールへの消防ポンプの収納構造。
【請求項２】
前記一対の水平ガイドレール（３０，３０）の少なくとも一端部には、前記昇降ベース（３）が前記マンホール（１）の上端部まで上昇したときに、前記各水平ガイドレール（３０，３０）の端部から前記マンホール（１）の開口縁へ掛け渡される起倒自在な道板（３２，３２）がそれぞれ取り付けられている、請求項１に記載の防火水槽マンホールへの消防ポンプの収納構造。
【発明の詳細な説明】
【０００１】
【発明の属する技術分野】
この発明は、一般的には防火水槽マンホールへの消防ポンプの収納構造に関するものであり、さらに具体的には、火災発生時にマンホールから消防ポンプを円滑に取り出すことができ、かつ、既設の防火水槽マンホールに対して容易に設置することができるように改善された防火水槽マンホールへの消防ポンプの収納構造に関するものである。
【０００２】
【従来の技術】
都市部の住宅密集地には、マンホールを介して地上と通じるように地下に所定容量の防火水槽が埋設されており、火災時には、可搬式消防ポンプを前記マンホールの近傍まで運搬し、あるいは消防自動車を前記マンホールの近傍まで移動させ、これらの可搬式消防ポンプ又は消防自動車により前記防火水槽に蓄えた水を利用して消火するようにしている。
しかしながら、消防ポンプや消防自動車の移動には時間がかかるとともに、特に地震その他の災害発生時には、交通渋滞によって可搬式消防ホンプや消防自動車等の移動に長時間を要したり、あるいは移動不能に到ることがあるので、小規模の火災が極めて大きな規模に達することがある。このような場合に、前記防火水槽の貯水を利用した初期消火を可能にするため、最近は、例えば特開平８−１５８４２２号公報や特開平９−１８７５２７号公報で開示されているように、地下に設置された防火水槽マンホール内に消防ポンプ一式を収納しておき、火災発生時には、前記マンホールから前記消防ポンプを取り出して使用することができるようにしている。
【０００３】
前記特開平８−１５８４２２号公報に記載の防火水槽マンホールへの消防ポンプの収納構造は、中央部へ吸水管挿通口を有する隔壁（底板）をマンホールの下方部へ取り付けるとともに、中央部に吸水管挿通口を有するポンプ載置台を前記隔壁の上に昇降可能に設置し、エンジンやポンプ本体を含み垂直方向に吸水管を有する消防ポンプを前記ポンプ載置台へ搭載し、消防ポンプの吸水管を前記隔壁及びポンプ載置台の吸水管挿通口に通して、当該吸水管の下端部を防火水槽中に沈ませている。
そして、マンホールの内壁には周方向に係止溝を形成し、前記ポンプ載置台の周縁に形成した複数の係止片を前記係止溝へ係脱可能に係止させ、ポンプ載置台と前記隔壁の間に複数の圧縮バネを圧縮介装するとともに、消防ポンプの使用時には、前記ポンプ載置台の係止部を前記係止溝から脱出させ、前記圧縮バネでポンプ載置台をマンホールの上方部分まで上昇させて消防ポンプをマンホールから取り出すように構成している。
【０００４】
前記特開平９−１８７５２７号公報に記載のマンホールへの消防ポンプの収納構造は、マンホールの下部へ内側へ突出した鍔部上に環状の軌道を設置し、この軌道に沿って回転する回転機構を設け、この回転機構の上に内筒を取り付け、この内筒内へ左右一対の水平な受け板を昇降可能に設置し、この受け板上に消防ポンプ入りケースを搭載している。前記内筒の内側には上部に所定の角度間隔に固定した各固定具へ垂直に複数本の支持棒を取り付けるとともに、各支持棒に沿って引き上げバネを取り付け、この引き上げバネの下端部を前記それぞれの受け板に固定し、前記内筒の内壁へ一対の傾斜したガイドレールを固定し、前記消防ポンプ入りケースの側部に取り付けた複数の車輪を前記ガイドレールに沿わせ、消防ポンプ入りケースを前記引き上げバネの力によりガイドレールに沿って取り出すように構成している。
【０００５】
【発明が解決しようとする課題】
前記特開平８−１５８４２２号公報の消防ポンプの収納構造は、第１に、マンホール内へ隔壁（底板）を取り付けたり、マンホールの内壁に周方向へ係止溝を形成するため、マンホールの改造や設計変更が必要であって、既存防火水槽のマンホールに対して容易に実施することができなかった。
第２に、前記消防ポンプの底部中央部には垂直方向に吸水管が設けられていることが必要であるが、既存の消防ポンプには吸水管が側方を向くように設置されているので、前記収納構造を実施するためには、既存の消防ポンプを使用することができず、特別設計の消防ポンプが必要になり、前述のように既存のマンホールに設置することができないことと相まって、設備費が高価になるという課題があった。
第３に、前記のようにマンホールの下部へ隔壁を取り付けるので、防火水槽内の点検が困難になるという課題があった。
【０００６】
前記特開平９−１８７５２７号公報の消防ポンプの収納構造は、第１に、マンホールの下部へ内側へ突出した鍔部を形成するので、既存のマンホールの大幅な改造や設計変更が必要（既存のマンホールは円形の孔であり、多くは円筒状のプレキャスト成形品である。）であり、既存の防火水槽マンホールに対して容易に実施することができなかった。
第２に、消防ポンプ入りケースをマンホール内の中筒から取り出す際、消防ポンプ入りケースはその姿勢が垂直状態から水平状態に変更されるので、このような姿勢変更に耐えられるように、エンジンの燃料タンクその他の設計を変更しなければならず、既存の消防ポンプをそのまま使用することができない。したがって、設備費が高価になるという課題があった。
【０００７】
この発明の目的は、既存の防火水槽マンホールの設計を変更することなく、既存のマンホールに対しても容易に実施することができる防火水槽マンホールへの消防ポンプの収納構造を提供することにある。
この発明の他の目的は、防火水槽内のカメラなどによる点検が容易に行える防火水槽マンホールへの消防ポンプの収納構造を提供することにある。
この発明のさらに他の目的は、消防ポンプを防火水槽マンホールから取り出して使用する際、消防ポンプの姿勢がマンホール内での収納状態から変化しない防火水槽マンホールへの消防ポンプの収納構造を提供することにある。
この発明のさらに他の目的は、消防ポンプのマンホールからの取出及び収納の際に、当該消防ポンプを昇降ベースによって短時間内に軽くかつ小さな力で昇降させることができるとともに、前記昇降ベースからマンホール外への撤去及び搭載が楽にしかも短時間でできる防火水槽マンホールへの消防ポンプの収納構造を提供することにある。
【０００８】
【課題を解決するための手段】
この発明による防火水槽マンホールへの消防ポンプの収納構造は、前述の課題を解決するため以下のように構成したものである。
すなわち、請求項１に記載の防火水槽マンホールへの消防ポンプの収納構造によれば、
防火水槽マンホール（１）の内壁（１０）へ上下方向に沿って相対するように設置された少なくとも一対の垂直ガイドレール（２，２）と、
前記垂直ガイドレール（２，２）へ所定の下限レベルから防火水槽マンホール（１）の上端部までを昇降するように設置された昇降ベース（３）とを備え、
前記昇降ベース（３）へ消防ポンプ（４）を搭載した状態で当該消防ポンプ（４）を前記マンホール（１）内へ収容し、
前記昇降ベース（３）は、少なくとも一対の定張力渦巻きバネ（５，５）により上昇方向へ付勢されているとともに、少なくとも一対の水平ガイドレール（３０，３０）を上方へ臨むように有し、
前記各定張力渦巻きバネ（５，５）の張力の総和と、前記昇降ベース（３）が受ける全荷重と当該昇降ベース（３）自体の重量との総和とがほぼ等しく、
前記消防ポンプ（４）は、当該消防ポンプ（４）の下部に取り付けられた台車（４０）を介して前記水平ガイドレール（３０，３０）へ搭載されており、
前記一対の水平ガイドレール（３０，３０）の一端側には互いに相対しない側部へ張出状に受け部材（３１，３１）が取り付けられ、
前記台車（４０）の一端側は、当該台車（４０）に取り付けられた脚（４１）を介して前記各受け部材（３１，３１）へ載置され、
前記台車（４０）の他端側は、当該台車（４０）に取り付けられた一対の車輪（４２）を介して前記水平ガイドレール（３０，３０）の他端部へそれぞれ浮上が防止された状態で載置され、
前記台車（４０）は、ロック金具（６）により前記水平ガイドレール（３０，３０）上における移動及び浮上が抑制されていることを特徴としている。
【０００９】
請求項２に記載の防火水槽マンホールへの消防ポンプの収納構造は、請求項１の防火水槽マンホールへの消防ポンプの収納構造において、前記一対の水平ガイドレール（３０，３０）の少なくとも一端部には、前記昇降ベース（３）が前記マンホール（１）の上端部まで上昇したときに、前記各水平ガイドレール（３０，３０）の端部から前記マンホール（１）の開口縁へ掛け渡される起倒自在な道板（３２，３２）がそれぞれ取り付けられていることを特徴としている。
【００１０】
【発明の実施の形態】
以下図面を参照しながら、この発明による防火水槽マンホールへの消防ポンプの収納構造の好ましい実施形態を説明する。
図１はこの発明による一実施形態の防火水槽マンホールへの消防ポンプの収納構造の部分破断断面図、図２は図１の実施形態の収納構造の下部構造を示す拡大部分半裁断面図、図３は図１の実施形態の収納構造の上部構造を示す部分拡大断面図、図４は図２の矢印Ａ−Ａに沿う部分断面図、図５は昇降ベースを図１の状態からマンホールの上部へ上昇させて消防ポンプを省略した状態の部分平面図、図６は図５の矢印Ｂ−Ｂに沿う部分断面図、図７は図５の矢印Ｃ−Ｃに沿う部分断面図、図８は昇降ベースを図１の状態からマンホールの上部へ上昇させ、台車を水平方向へ移動させ始めた状態を示す部分拡大断面図である。
【００１１】
図１のように、防火水槽（図示しない）に設けられた防火水槽マンホール１（以下単に「マンホール」ともいう。）の内壁１０には、上下方向に沿って相対するように一対の垂直ガイドレール２，２が固定され、前記垂直ガイドレール２，２には、所定の下限レベル（例えば、マンホール１の上端から７００ｍｍ前後下方のレベル）からマンホール１の上端部までを昇降するように昇降ベース３が取り付けられ、この昇降ベース３には、ポンプ本体４ａ，エンジン部４ｂ，燃料タンク４ｃ，図示しない蓋がねじ締められた吸水ホース接続口４ｄ及び放水ホース接続口４ｅなどを含む消防ポンプ４が搭載されている。
すなわち、前記消防ポンプ４は前記昇降ベース３へ搭載された状態で前記マンホール１内へ収納されている。
【００１２】
この実施形態の収納構造において、各垂直ガイドレール２，２は図４で示されているように金属製のチャンネル状部材であり、これらの垂直ガイドレール２，２はマンホール１の内壁１０に対して伏せられた状態に配置され、その下端部分は連結部材２０によって互いに溶接連結されている。
この実施形態において、各垂直ガイドレール２，２は、図２及び図４で示されているように、それらの下端部分が複数の（この実施形態では各４本）ボルト状の押しネジ２１により、マンホール１の内壁１０の相対する部分へ突っ張られた状態で固定されている。図の符号２３はそれぞれ垂直ガイドレール２，２の底部へ溶接された締付けナット、２４はそれぞれのネジ２１へねじ合わされたロックナットである。
したがって、垂直ガイドレール２，２は、前記各ロックナット２４を緩め、各押しネジ２１を緩めることによってマンホール１の内壁１０から容易に取り外すことができる。
【００１３】
この実施形態において、昇降ベース３は、一部がそれぞれ対応する垂直ガイドレール２へ被さった状態で摺動スライドする短いチャンネル状の摺動体３３，３３と、対応する垂直ガイドレール２を挟む状態で各摺動体３３，３３の上端両側部へ連結された一対の水平ガイドレール３０，３０とを備えており、各摺動体３３，３３の下端部分には、それぞれ対応する垂直ガイドレール２の相対する面へ接触するように振れ止め用のローラ３ａが取り付けられている。
前記振れ止め用のローラ３ａは回転しないピンに代えても実施することができるとともに、それらの振れ止め用のローラ３ａ又はピンは、図示しないスプリングなどにより、それぞれ対応する垂直ガイドレール２へ押し付け状に常時付勢させる構造にすることができる。
一対の水平ガイドレール３０，３０は、図６及び図７で示すように平行に相対するＬ字状断面の金属製のアングル状部材によって構成されており、長さ方向の中央部において短い角パイプからなる連結片３４によって互いに連結（溶接）されている。
前記連結片３４には、下方へ垂直に伸びるようにスライドバー３ｂが固定されており、このスライドバー３ｂは、垂直ガイドレール２，２の連結部材２０へ貫通状に固定されたガイド筒２２へスライドするように挿入されている。
前記水平ガイドレール３０，３０の中央部より一端部方向へ偏った位置には、それぞれ相対しない側部へ水平に張り出すように受け部材３１，３１が溶接されている。
【００１４】
前記昇降ベース３の各摺動体３３のチャンネル状の内部には、対応する垂直ガイドレール２から離れた位置に、定張力（密着）渦巻きバネ５が巻かれた二個のリール５０がそれぞれ取り付けられており、各定張力渦巻きバネ５，５の外端部は前記各垂直ガイドレール２の上端部へ固定されている。
この実施形態では、図３で示すように、各垂直ガイドレール２の上端部へ垂直方向に長孔状のスリット２５が形成され、このスリット２５を塞ぐ状態に各垂直ガイドレール２の上端部へ引っ掛けた状態で取付板５１をそれぞれ取り付け、この取付板５１へそれぞれ直接又は調整部材５２を介して定張力渦巻きバネ５の外端部をネジ止めしている。
なお、定張力渦巻きバネ５の上端部は前述のように各垂直ガイドレール２の上端部にではなく、各垂直ガイドレール２の近傍において、マンホール１の内壁１０の上部へ固定されていても差し支えなく、また、リール５０を図示とは逆に垂直ガイドレール２の上端部又はマンホール１の内壁１０の上部へ取り付け、定張力渦巻きバネ５の他端部を前記摺動体３３へ固定しても実施することができる。
【００１５】
この実施形態の消防ポンプの収納構造においては、消防ポンプ４の下部には台車４０が取り付けられており、前記消防ポンプ４はこの台車４０を介して前記水平ガイドレール３０，３０へ搭載されている。
台車４０は、比較的幅が広く前記水平ガイドレール３０，３０と平行する断面逆チャンネル状（下向きチャンネル状）の取付ベース４３と、この取付ベース４３の下部四箇所へ均一な高さの各防振ゴム４５を介して相対し、当該取付ベース４３よりも幅がやや狭く長さがやや長いチャンネル状のシャシー４４と、このシャシー４４の一端部下面へ前記受け部材３１と対応するように固定された脚取付部材４６とを備えている。
前記各防振ゴム４５は、前記取付ベース４３及びシャシー４４へそれぞれナット止めされている。消防ポンプ４は、取付ベース４３に形成された各取付孔４７（図５）の部分において、図１のように当該消防ポンプ４の下部取付板４ｆをそれぞれボルトナット止めすることにより前記取付ベース４３へ固定されている。
【００１６】
前記台車４０の一端側は、前記脚取付部材４６の下部へ取り付けられた各ゴム製の脚４１を介して前記昇降ベース３の受け部材３１，３１へ載置され、その他端側は、前記シャシー４４の下部へ前記水平ガイドレール３０，３０へ対応するように取り付けられた一対の車輪４２，４２を介して、前記水平ガイドレール３０，３０の他端部へ載置されている。この実施形態ではさらに、前記各水平ガイドレール３０，３０には、前記脚取付部材４６の底部と相対する位置に切り欠きにより凹状の受け部３０ａ，３０ａ（図８）が形成されており、これらの受け部３０ａ，３０ａへ前記脚取付部材４６を嵌め合せ状に支持させることにより、前記台車４０の水平移動が阻止されるように構成している。
前記台車４０は、前記脚取付部材４６の両端部分へ固定された鉤状部材６２と、前記鉤状部材６２へ引っ掛けられる輪状のスプリング６３を上端に有し、前記受け部材３１へ軸止めされた回動レバー６１とからなるロック金具６により、前記ガイドレール３０，３０上における浮上が阻止され、各車輪４２，４２は、それぞれ前記ガイドレール３０，３０の側部へ固定された浮上阻止板６０により浮上が防止されている。
前記シャシー４４の端部に固定されている脚取付部材４６には、門形のハンドル４８が取り付けられており、前記ロック金具６を外すと、前記ハンドル４８を持って台車４０の脚取付部材４６側の端部を水平ガイドレール３０，３０から持ち上げることができるようになっている。
【００１７】
この実施形態の消防ポンプの収納構造において、前記一対の水平ガイドレール３０，３０には、前記車輪４２が位置する部分の反対側の端部に、昇降ベース３がマンホール１の上端部まで上昇したときに、前記各水平ガイドレール３０，３０の端部から前記マンホール１の開口縁へ掛け渡される起倒自在な道板３２，３２がそれぞれ取り付けられている。
【００１８】
前記マンホール１内の上方には、上端周縁のフランジ７１が前記垂直ガイドレール２，２の上端へ支持された状態で、トレイ状のホース収納容器７が設置されており、消防ポンプ４の図示されていない放水ホースは前記ホース収納容器７内に収納されている。
前記ホース収納容器７には中蓋７０が被せられており、この中蓋７０は、その外周縁に形成したスリット７２へ一方の垂直ガイドレール２の上端部に固定した施錠用プレート７３を案内し、この施錠用プレート７３の孔に錠７４のフック７５を通して施錠することができるように構成されている。このように施錠することによって、消防ポンプ４やそれの付属品の盗難が防止される。
図１の符号７６は中蓋７０の把手である。
【００１９】
この実施形態の収納構造では、垂直ガイドレール２相互を連結している連結部材２０の側部にホース案内環（上方から見て環になっている。）２０ａが固定されており、このホース案内環２０ａには、下端の吸い込み口を図示しない防火水槽の貯水中に沈ませた吸水ホース８が、吊り下げ状にかつスライド自在に案内されている。
吸水ホース８の上端には、消防ポンプ４の吸水ホース接続口４ｄへ接続するための接続金具８０がホースバンドを兼ねたストッパ８１によって取り付けられおり、吸水ホース８は、前記ホースバンドを兼ねたストッパ８１の作用により前記ホース案内環２０ａへ吊り下げられている。
他方、昇降ベース３の連結片３４には着脱金具８３が下向きにかつ貫通状に取り付けられており、この着脱金具８３へ鎖又はロープからなる引き上げ具８２の一端を連結するとともに、その引き上げ具８２の他端を前記ホースバンドを兼ねたストッパ８１へ連結することにより、昇降ベース３と前記吸水ホース８とを連係させている。
【００２０】
この実施形態において、消防ポンプ４側の荷重は約４０kgであり、前記各定張力渦巻きバネ５の張力を加算した力は前記消防ポンプ４側の荷重とほぼバランスするように設計されている。
この実施形態のマンホールへの消防ポンプの収納構造において、マンホールの図示しない蓋を開け、錠７４を解錠してマンホール１内よりホース収納容器７を取り出すとともに、消防ポンプ４に取り付けられたハンドル４ｇを持って当該消防ポンプ４を軽く持ち上げると、各定張力渦巻きバネ５の張力により、消防ポンプ４，台車４０及び昇降ベース３は、図８のように両側の垂直ガイドレール２，２に沿ってマンホール１内の上部まで上昇する。
この実施形態では、前記全定張力渦巻きバネ５の張力の合計と、消防ポンプ４側、すなわち消防ポンプ４，台車４０及び昇降ベース３の重量並びに各摺動体３３と垂直ガイドレール２，２との摩擦の合計とがバランスしており、消防ポンプ４を持ち上げる途中でその持ち上げを停止すると、消防ポンプ４が前記停止位置で静止するように設計されている。したがって、消防ポンプ４，台車４０及び昇降ベース３をマンホール１内の上部まで上昇させたとき、昇降ベース３はその位置で停止し自重によって下降することはない。
昇降ベース３をマンホール１内の上部まで引き上げた後、ロック金具６を解放し、ハンドル４８を持って水平ガイドレール３０，３０の端部より台車４０及び消防ポンプ４の端部を図８のように持ち上げ、道板３２を同図のように水平に倒して水平ガイドレール３０，３０とマンホール１の上部外周の路面とを連続させ、台車４０をマンホール１外へ導くように同図左方向へ水平移動し定置させる。
この状態で、前記引き上げ具８２を手繰って吸水ホース８を引き上げ、前記接続金具８０により前記吸水ホース８を吸水ホース接続口４ｄへ連結するとともに、前記ホース収納容器７から図示しない放水ホースを取り出してこれを放水ホース接続口４ｅへ連結すると、消防ポンプ４を使用することができる。
消防ポンプ４を再度マンホール内へ収納する際には、前記放水ホースと吸水ホース８とをそれぞれの接続口４ｅ，４ｄから取り外し、台車４０を水平移動させて車輪４２側より水平ガイドレール３０，３０上に載せ、ロック金具６によって台車４０と水平ガイドレール３０，３０とをロックし、ハンドル４ｇを持って消防ポンプ４を押し下げることにより、連結部材２０の上端へ各摺動体３３の下端が突き当たるまで、消防ポンプ４，台車４０及び昇降ベース３を下降させればよい。
【００２１】
前記実施形態の防火水槽マンホールへの消防ポンプの収納構造は、第１に、マンホール１の内壁１０へ上下方向に沿って相対するように設置された少なくとも一対の垂直ガイドレール２，２に沿って、消防ポンプ４が搭載された昇降ベース３が昇降するように構成されているので、既設の防火水槽マンホールに対してその設計を変更したり、改造したりすることなく実施することができる。
第２に、消防ポンプ４をマンホール１から引き上げて撤去し、昇降ベース３を上方へ引き抜くことにより、マンホール１の下方の防火水槽内を支障なく点検することができる。前述のように垂直ガイドレール２，２の下端部を連結部材２０で連結した場合でも、この連結部材２０の両側空間よりカメラを挿入して内部を点検することができるほか、必要に応じて別の消防ポンプの吸水ホース及び当該吸水ホースのストレーナを出入させることも可能である。
第３に、前記昇降ベース３は、一端側がリール５０へ巻かれた少なくとも一対の定張力渦巻きバネ５，５により上昇方向へ付勢されているので、これらの定張力渦巻きバネ５の張力を利用して消防ポンプ４を軽く上昇させて取り出したり、あるいはこれを再収納することができる。
第４に、前記垂直ガイドレール２，２相互の下端部分は連結部材２０によって互いに連結され、各垂直ガイドレール２，２はそれらの下端部分が複数の押しネジ２１により前記マンホール１の内壁１０の相対する部分へ突っ張り状態に固定されているので、垂直ガイドレール２，２を容易にマンホール１の内壁から取り外すことができる。
第５に、前記昇降ベース３下部には、前記マンホール１の中心部に対応する位置へ垂直方向に沿うスライドバー３ｂを固定するとともに、前記連結部材２０には前記スライドバー３ｂへ対応する位置へ垂直方向に沿うガイド筒２２を固定し、前記スライドバー３ｂを前記ガイド筒２２へスライド自在に挿入したので、昇降ベース３の昇降作動がより安定する。
第６に、前記昇降ベース３の両端部には、それぞれ対応する垂直ガイドレール２へ接触する触れ止め用のピン又はローラ３ａが取り付けられているので、昇降ベース３の横振れを防止してその昇降作動を一層安定させることができる。
第７に、昇降ベース３には上方に臨むほぼ水平な少なくとも一対の水平ガイドレール３０，３０を備え、前記消防ポンプ４は、当該消防ポンプ４の下部に取り付けらた台車４０を介して前記水平ガイドレール３０，３０へ搭載したので、消防ポンプ４をマンホール１から引き上げた後、これを水平移動させてその収納状態の姿勢を変化させることなく安定して使用することができる。
第８に、ロック金具６により前記水平ガイドレール３０，３０上における台車４０の移動を抑制するように構成したので、地震などの際に消防ポンプ４の移動や離脱を防止することができるとともに、消防ポンプ４を昇降ベース３とともに安定して昇降させることができる。
第９に、一対の水平ガイドレール３０，３０の一端側には互いに相対しない側部へ張出状に受け部材３１，３１が取り付けられ、前記台車４０の一端側は、当該台車４０に取り付けられた脚４１を介して前記受け部材３１，３１へ載置され、前記台車４０の他端側は、当該台車４０に取り付けられた一対の車輪４２を介して前記水平ガイドレール３０，３０の他端部へそれぞれ浮上が防止された状態で載置されているので、収納状態において消防ポンプ４がより安定するとともに、台車４０の一方の端部を持ち上げることにより容易に水平方向へ移動させることができる。
第１０に、一対の水平ガイドレール３０，３０の少なくとも一端部には、前記昇降ベース３がマンホール１の上端部まで上昇したときに、前記各水平ガイドレール３０，３０の端部から前記マンホール１の開口縁へ掛け渡される起倒自在な道板３２，３２が取り付けられているので、マンホール１の上部へ上昇させた台車４０を、水平方向へ円滑に移動させることができる。
第１１に、前記消防ポンプ４の吸水ホース８は、前記ホース案内環２０ａへスライド自在に案内し収納したので、消防ポンプ４の設計を変更することなく、一般に市販されている消防ポンプをそのまま使用することができる。また、重量のある吸水ホース８は、マンホール１内へ固定された部材である連結部材２０のホース案内環２０ａへ吊り下げられているので、昇降部全体の重量を軽減することができる。
第１２に、ホース収納容器７には、当該収納容器７又は前記垂直ガイドレール２の上端部へ施錠可能な中蓋７０が被せられているので、消防ポンプ４及びその付属部品類の盗難を防止することができる。
第１３に、台車４０には防振ゴム４５が取り付けられているとともに、ゴム製の脚４１を設けているので、消防ポンプの運転中にそのずれ動きを防止することができる。
【００２２】
その他の実施形態
前記実施形態では、マンホール１内の上部空間にホース収納容器７を設置し、このホース収納容器７内に放水ホースを収納し、吸水ホース８は連結部材２０のホース案内環２０ａへ吊り下げ状に保持させるように構成したが、各ホースは消防ポンプ４の各接続口４ｄ，４ｅへ接続された状態で昇降ベース３へ搭載されていても差し支えない。
また、吸水ホース８は、放水ホースとともに前記ホース収納容器７内へ収納するように構成しても実施することができる。
台車４０は前述のような構成に代えて、水平ガイドレール３０，３０に沿って摺動するように構成することができる。
【００２３】
【発明の効果】
請求項１の発明に係る防火水槽マンホールへの消防ポンプの収納構造によれば、マンホール１の内壁１０へ上下方向に沿って相対するように設置された少なくとも一対の垂直ガイドレール２，２に沿って、消防ポンプ４が搭載された昇降ベース３を昇降させ得るように構成されているので、既設の防火水槽のマンホールに対してその設計を変更したり改造したりすることなく設置することができる。
消防ポンプ４をマンホール１から引き上げた状態で、マンホール１の下方の防火水槽内を点検することができる。
前記昇降ベース３は、少なくとも一対の定張力渦巻きバネ５，５により上昇方向へ付勢されているので、昇降行程の昇降量を大にすることができるほか、安定かつ一定した張力を得ることができる。
前記各定張力渦巻きバネ５，５の張力の総和と、前記昇降ベース３が受ける全荷重と当該昇降ベース３自体の重量との総和とがほぼ等しいので、消防ポンプ４を軽く上昇させて取り出したり、あるいはこれを再収納すことができるほか、消防ポンプ４を搭載した昇降ベース３を持ち上げる途中でその持ち上げを停止した場合昇降ベース３は前記停止位置で静止し自重で下降することはない。
昇降ベース３には上方に臨むほぼ水平な少なくとも一対の水平ガイドレール３０，３０を備え、前記消防ポンプ４は、当該消防ポンプ４の下部に固定された台車４０を介して前記水平ガイドレール３０，３０へ搭載したので、消防ポンプ４をマンホール１から引き上げた後、これを水平移動させてその収納状態の姿勢を変化させることなく安定して使用することができる。
ロック金具６により前記水平ガイドレール３０，３０上における台車４０の移動や浮上を抑制するように構成したので、地震などの際に消防ポンプ４の移動や離脱を防止することができるとともに、消防ポンプ４を昇降ベース３とともに安定して昇降させることができる。
また、一対の水平ガイドレール３０，３０の一端側には互いに相対しない側部へ張出状に受け部材３１，３１が取り付けられ、前記台車４０の一端側は、当該台車４０に取り付けられた脚４１を介して前記受け部材３１，３１へ載置され、前記台車４０の他端側は、当該台車４０に取り付けられた一対の車輪４２を介して前記水平ガイドレール３０，３０の他端部へそれぞれ浮上が防止された状態で載置されているので、収納状態において消防ポンプ４がより安定するとともに、台車４０の一方の端部を持ち上げて容易に水平方向へ移動させることができる。
【００２４】
請求項２の発明に係る防火水槽マンホールへの消防ポンプの収納構造によれば、一対の水平ガイドレール３０，３０の少なくとも一端部には、前記昇降ベース３がマンホール１の上端部まで上昇したときに、前記各水平ガイドレール３０，３０の端部から前記マンホール１の開口縁へ掛け渡される起倒自在な道板３２，３２が取り付けられているので、マンホール１の上部へ上昇させた台車４０を、水平方向へ円滑に移動させることができる。
【図面の簡単な説明】
【図１】  この発明による一実施形態の防火水槽マンホールへの消防ポンプの収納構造の部分破断断面図である。
【図２】  図１の実施形態の収納構造の下部構造を示す拡大部分半裁断面図である。
【図３】  図１の実施形態の収納構造の上部構造を示す部分拡大断面図である。
【図４】  図２の矢印Ａ−Ａに沿う部分断面図である。
【図５】  昇降ベースを図１の状態からマンホールの上部へ上昇させて消防ポンプを省略した状態の部分平面図である。
【図６】  図５の矢印Ｂ−Ｂに沿う部分断面図である。
【図７】  図５の矢印Ｃ−Ｃに沿う部分断面図である。
【図８】  可動ベースを図１の状態からマンホールの上部へ上昇させ、台車を水平方向へ移動させ始めた状態を示す部分拡大断面図である。
【符号の説明】
１  防火水槽マンホール
１０  マンホールの内壁
２  垂直ガイドレール
２０  連結部材
２０ａ  吸水ホース案内環
２１  押しネジ
２２  ガイド筒
２３  締付け用ナット
２４  ロックナット
２５  スリット
３  昇降ベース
３ａ  振れ止めローラ又はピン
３ｂ  スライドバー
３０  水平ガイドレール
３０ａ  受け部
３１  受け部材
３２  道板
３３  摺動体
３４  連結片
４  消防ポンプ
４ａ  ポンプ本体
４ｂ  エンジン部
４ｃ  燃料タンク
４ｄ  吸水ホース接続口
４ｅ  放水ホース接続口
４ｆ  取付板
４ｇ  ハンドル
４０  台車
４１  脚
４２  車輪
４３  取付ベース
４４  シャシー
４５  防振ゴム
４６  脚取付部材
４８  ハンドル
５  定張力渦巻きバネ
５０  リール
５１  取付板
５２  調整部材
６  ロック金具
６０  浮上阻止板
６１  回動レバー
６２  鉤状部材
６３  輪状のスプリング
７  ホース収納容器
７０  中蓋
７１  鍔部
７２  スリット
７３  施錠用プレート
７４  錠
７５  フック
７６  把手
８  吸水ホース
８０  接続金具
８１  ホースバンドを兼ねたストッパ
８２  引き上げ具
８３  着脱金具
【図１】
0003867746.tif 000002
【図２】
0003867746.tif 000003
【図３】
0003867746.tif 000004
【図４】
0003867746.tif 000005
【図５】
0003867746.tif 000006
【図６】
0003867746.tif 000007
【図７】
0003867746.tif 000008
【図８】
0003867746.tif 000009